(57)【要約】【課題】ＣＤＭＡ  １ｘ（１ｘＭＣ）方式の通信試験と、ＣＤＭＡ  １ｘＥＶ−ＤＯ方式の通信試験を、同一の無線伝送路（同一のＲＦチャネル）で行うハイブリッド無線端末テスタを簡単な構成で実現する。【解決手段】ハイブリッド無線端末機２０のＲＦチャネルを、通信装置１０からService Direction Messageにより制御する。これにより、一つのＲＦチャネルで２つの通信方式を試験することが可能となる。【選択図】図１
2005277831.tif 000002
【特許請求の範囲】
【請求項１】
符号分割多元接続方式を用いた、第一の通信方式と、第二の通信方式の、２つの通信方式をサポートし、前記第一の通信方式の通信チャネルと、前記第二の通信方式の通信チャネルと、が異なる搬送波周波数チャネルに初期設定されているハイブリッド無線端末機と通信をする通信装置であって、
前記第一の通信方式による通信により、前記ハイブリッド無線端末機の第一の通信方式の通信チャネルと、第二の通信方式の通信チャネルと、を同一の搬送波周波数チャネルに設定する手段と、
これにより設定された前記ハイブリッド無線端末機の通信チャネルの搬送波周波数チャネルに、前記通信装置の通信チャネルの搬送波周波数チャネルを設定する手段と、
前記第一の通信方式の通信チャネルと、前記第二の通信方式の通信チャネルと、を異なる符号チャネルに設定する手段と、
を備え、
前記ハイブリッド無線端末機と、同一の搬送波周波数チャネルで、前記第一の通信方式による通信と、前記第二の通信方式による通信と、を行うことを特徴とする通信装置。
【請求項２】
請求項１記載の通信装置であって、
前記第一の通信方式の通信チャネルの搬送波周波数チャネルを、前記第二の通信方式の通信チャネルの搬送波周波数チャネルに設定する手段を備えることを特徴とする通信装置。
【請求項３】
請求項１又は２に記載の通信装置であって、
前記符号分割多元接続方式が、ＣＤＭＡ２０００であることを特徴とする通信装置。
【請求項４】
符号分割多元接続方式を用いた、第一の通信方式と、第二の通信方式の、２つの通信方式をサポートし、前記第一の通信方式の通信チャネルと、前記第二の通信方式の通信チャネルと、が異なる搬送波周波数チャネルに初期設定されているハイブリッド無線端末機と、
前記ハイブリッド無線端末機と通信をする通信装置と、
の間の通信制御方法であって、
前記第一の通信方式による通信により、前記ハイブリッド無線端末機の第一の通信方式の通信チャネルと、第二の通信方式の通信チャネルと、を同一の搬送波周波数チャネルに設定する工程と、
これにより設定された前記ハイブリッド無線端末機の通信チャネルの搬送波周波数チャネルに、前記通信装置の通信チャネルの搬送波周波数チャネルを設定する工程と、
前記第一の通信方式の通信チャネルと、前記第二の通信方式の通信チャネルと、を異なる符号チャネルに設定する工程と、
を備え、
前記ハイブリッド無線端末機と前記通信装置の間で、同一の搬送波周波数チャネルで、前記第一の通信方式による通信と、前記第二の通信方式による通信と、を行うことを特徴とする通信制御方法。
【請求項５】
請求項４記載の通信制御方法であって、
前記第一の通信方式の通信チャネルの搬送波周波数チャネルを、前記第二の通信方式の通信チャネルの搬送波周波数チャネルに設定する工程を備えることを特徴とする通信制御方法。
【請求項６】
請求項４又は５に記載の通信制御方法であって、
前記符号分割多元接続方式が、ＣＤＭＡ２０００であることを特徴とする通信制御方法。
【発明の詳細な説明】
【技術分野】
【０００１】
本発明は、ＣＤＭＡ（Code Division Multiple Access：符号分割多元接続）方式を用いたハイブリッド無線端末機と通信する通信装置、及び、その通信制御方法に関する。
【背景技術】
【０００２】
近年の携帯電話に代表される移動体通信サービス分野では、いわゆる「第三世代」と呼ばれる移動体通信サービスが急速に普及しつつある。この「第三世代」移動体通信サービスに、「ＣＤＭＡ２０００」がある。「ＣＤＭＡ２０００」とは、音声通話サービスと、無線データ通信サービスからなる移動体通信サービスである。さらに、高速な無線データ通信に特化した「ＣＤＭＡ２０００  １ｘＥＶ−ＤＯ（1x Evolution Data Only）」方式を利用したサービスも開始されている。
【０００３】
この「ＣＤＭＡ２０００」には、主として音声通信（及びメールやＷｅｂ閲覧等の無線データ通信）を行う「１ｘＭＣ（1x Multi Carrier）」と呼ばれる通信方式と、前述の高速無線データ通信に特化した「１ｘＥＶ−ＤＯ」と呼ばれる通信方式、の２つの通信方式をサポートするハイブリッド無線端末機がある。このハイブリッド無線端末機の無線性能試験は、ハイブリッド無線端末テスタによって行われる。このハイブリッド無線端末テスタには、１ｘＭＣ方式と１ｘＥＶ−ＤＯ方式の各々の通信チャネルが、異なる搬送波周波数チャネル（以後、「ＲＦチャネル」と呼ぶ）に初期設定されているため、２系統の通信系が必要である。
【発明の開示】
【発明が解決しようとする課題】
【０００４】
以上説明したように、ハイブリッド無線端末機をテストするハイブリッド無線端末テスタには、２系統の通信系が必要である。このため、ハイブリッド無線端末テスタは装置規模が大きくなりがちである。本発明の目的は、１ｘＭＣ方式の通信試験と、１ｘＥＶ−ＤＯ方式の通信試験を行うハイブリッド無線端末テスタを、簡単な構成で実現することにある。
【課題を解決するための手段】
【０００５】
本発明は、符号分割多元接続方式を用いた、第一の通信方式と、第二の通信方式の、２つの通信方式をサポートし、前記第一の通信方式の通信チャネルと、前記第二の通信方式の通信チャネルと、が異なる搬送波周波数チャネルに初期設定されているハイブリッド無線端末機と通信をする通信装置であって、前記第一の通信方式による通信により、前記ハイブリッド無線端末機の第一の通信方式の通信チャネルと、第二の通信方式の通信チャネルと、を同一の搬送波周波数チャネルに設定する手段と、これにより設定された前記ハイブリッド無線端末機の通信チャネルの搬送波周波数チャネルに、前記通信装置の通信チャネルの搬送波周波数チャネルを設定する手段と、前記第一の通信方式の通信チャネルと、前記第二の通信方式の通信チャネルと、を異なる符号チャネルに設定する手段と、を備え、前記ハイブリッド無線端末機と、同一の搬送波周波数チャネルで、前記第一の通信方式による通信と、前記第二の通信方式による通信と、を行うことを特徴とする。
【０００６】
また、前記第一の通信方式の通信チャネルの搬送波周波数を、前記第二の通信方式の通信チャネルの搬送波周波数に設定する手段を備えることが望ましい。
【０００７】
また、前記符号分割多元接続方式が、ＣＤＭＡ２０００であることが望ましい。
【０００８】
また、本発明は、符号分割多元接続方式を用いた、第一の通信方式と、第二の通信方式の、２つの通信方式をサポートし、前記第一の通信方式の通信チャネルと、前記第二の通信方式の通信チャネルと、が異なる搬送波周波数チャネルに初期設定されているハイブリッド無線端末機と、前記ハイブリッド無線端末機と通信をする通信装置と、の間の通信制御方法であって、前記第一の通信方式による通信により、前記ハイブリッド無線端末機の第一の通信方式の通信チャネルと、第二の通信方式の通信チャネルと、を同一の搬送波周波数チャネルに設定する工程と、これにより設定された前記ハイブリッド無線端末機の通信チャネルの搬送波周波数チャネルに、前記通信装置の通信チャネルの搬送波周波数チャネルを設定する工程と、前記第一の通信方式の通信チャネルと、前記第二の通信方式の通信チャネルと、を異なる符号チャネルに設定する工程と、を備え、前記ハイブリッド無線端末機と前記通信装置の間で、同一の搬送波周波数チャネルで、前記第一の通信方式による通信と、前記第二の通信方式による通信と、を行うことを特徴とする。
【０００９】
また、前記第一の通信方式の通信チャネルの搬送波周波数を、前記第二の通信方式の通信チャネルの搬送波周波数に設定する工程を備えることが望ましい。
【００１０】
また、前記符号分割多元接続方式が、ＣＤＭＡ２０００であることが望ましい。
【発明の効果】
【００１１】
本発明によれば、１ｘＭＣ方式の通信試験と、１ｘＥＶ−ＤＯ方式の通信試験を、同一の無線伝送路（同一のＲＦチャネル）で行うことが可能な通信装置を、簡単な構成で実現することが可能となる。
【発明を実施するための最良の形態】
【００１２】
以下、本発明を実施するための最良の形態について図面を用いて説明する。図１に、本発明の実施形態に係る通信装置を示す。また図２に、本発明の実施形態に係る通信装置とハイブリッド無線端末機との通信動作を示すフローチャートを示す。まず図１を用いて、本発明の実施形態に係る通信装置の構成を説明する。
【００１３】
図１に記載された通信装置１０は、「ＣＤＭＡ２０００」をサポートするハイブリッド無線端末テスタに組み込まれている。この通信装置１０は、ＴＣ／外部コントロール部１、制御部３、１ｘＭＣモデム部５ａ、１ｘＥＶ−ＤＯモデム部５ｂ、ゲインコントロール部７、ＲＦ無線部９を備えている。そして、通信装置１０は、１ｘＭＣ方式と１ｘＥＶ−ＤＯ方式の両通信方式をサポートするハイブリッド無線端末機２０と、通信ができるように同軸ケーブル等で接続されている。以下、通信装置１０の構成について詳細に説明する。
【００１４】
ＴＣ／外部コントロール部１は、ユーザからの指示に応じて、制御部３を介して、通信装置１０を制御する機能を備えている。さらにＴＣ／外部コントロール部１は、ハイブリッド無線端末機２０の無線性能のテスト結果等を、ここでは図示しないユーザインタフェースに出力する機能を有している。
【００１５】
制御部３は、ＴＣ／外部コントロール部１からの制御信号に従って、１ｘＭＣモデム部５ａと１ｘＥＶ−ＤＯモデム部５ｂのベースバンド信号の発生，各通信チャネルの符号チャネルの設定、ゲインコントロール部７のゲインの制御、ＲＦ無線部９のＲＦチャネル設定を制御する機能を有している。
【００１６】
１ｘＭＣモデム部５ａは、上り下り回線を有している。１ｘＭＣモデム部５ａは、下り回線において、制御部３からの制御信号に応じて、１ｘＭＣ方式のベースバンド信号を発生し、これを拡散符号で拡散し、生成された拡散変調波（ＩＦ信号）をゲインコントロール部７に出力する機能を有している。さらに、１ｘＭＣモデム部５ａは、上り回線において、ゲインコントロール部７から出力されたＩＦ信号を逆拡散符号で逆拡散し、ハイブリッド無線端末機２０のテスト結果を、制御部３及びＴＣ／外部コントロール部１を介して、ユーザインタフェースに出力する機能を有している。
【００１７】
１ｘＥＶ−ＤＯモデム部５ｂもまた、上り下り回線を有している。１ｘＥＶ−ＤＯモデム部５ｂは、制御部３からの制御信号に応じて、１ｘＥＶ−ＤＯ方式のベースバンド信号を発生し、これを拡散符号で拡散し、生成された拡散変調波（ＩＦ信号）をゲインコントロール部７に出力する機能を有している。さらに、１ｘＥＶ−ＤＯモデム部５ｂは、上り回線において、ゲインコントロール部７から出力されたＩＦ信号を逆拡散符号で逆拡散し、ハイブリッド無線端末機２０のテスト結果を、制御部３及びＴＣ／外部コントロール部１を介して、ユーザインタフェースに出力する機能を有している。なお、１ｘＭＣモデム部５ａと１ｘＥＶ−ＤＯモデム部５ｂには、各々異なる拡散／逆拡散符号によって符号チャネルが設定される。
【００１８】
ゲインコントロール部７は、入力された信号をゲインコントロールし出力する。ゲインコントロール部７は、一方が１ｘＭＣモデム部５ａと、１ｘＥＶ−ＤＯモデム部５ｂとに接続され、他方がＲＦ無線部９に接続されている。
【００１９】
ＲＦ無線部９は、ゲインコントロール部７から出力された信号をハイブリッド無線端末機２０の通信チャネルの搬送波周波数帯にアップコンバートし、ハイブリッド無線端末機２０する機能を有している。さらに、ＲＦ無線部９は、ハイブリッド無線端末機２０から出力された信号を、ＩＦ信号にダウンコンバートし、ゲインコントロール部７に出力する。ＲＦ無線部９は、一方がゲインコントロール部７に接続され、他方がハイブリッド無線端末機２０に有線接続されている。
【００２０】
ハイブリッド無線端末機２０は、１ｘＭＣ方式と、１ｘＥＶ−ＤＯ方式の２つの通信方式をサポートする。このハイブリッド無線端末機２０は、初期設定として、１ｘＭＣ方式の通信チャネルを０ＣＨ（例えば、８００ＭＨｚ）に、１ｘＥＶ−ＤＯ方式の通信チャネルを１００ＣＨ（例えば、８４０ＭＨｚ）に、各々設定されている。またハイブリッド無線端末機２０は、ＲＦ無線部９と接続される。なお、試験内容によっては、このハイブリッド無線端末機２０とＲＦ無線部９の間に、減衰器やフェージングシミュレータ、周波数変換器等を入れても良い。以下、通信装置１０とハイブリッド無線端末機２０との通信動作を、図２を用いて説明する。
【００２１】
図２は、通信装置１０とハイブリッド無線端末機２０との間の通信動作を示すフローチャートである。まず、ユーザからの指示が、ここでは図示しないユーザインタフェースを介して、ＴＣ／外部コントロール部１に入力される（ステップ１００）。そして、このユーザからの指示により、一つまたは複数のテストモードで、通信装置１０が動作する。制御部３は、この指示に従ったテストモードで、１ｘＭＣモデム部５ａと、１ｘＥＶ−ＤＯモデム部５ｂを制御する。まず１ｘＭＣモデム部５ａと、１ｘＥＶ−ＤＯモデム部５ｂは、各々のベースバンド信号を発生し、１ｘＭＣモデム部５ａと１ｘＥＶ−ＤＯモデム部５ｂの間で異なる拡散符号で拡散したＩＦ信号を出力する（ステップ１１０，１２０）。そして、１ｘＭＣモデム部５ａと、１ｘＥＶ−ＤＯモデム部５ｂと、から出力されたＩＦ信号は、ゲインコントロール７によってゲインコントロールされＲＦ無線部９に出力される。そして、ＲＦ無線部９に入力されたＩＦ信号は、搬送波周波数帯（０ＣＨ（８００ＭＨｚ））にアップコンバートされ、ハイブリッド無線端末機２０に送信される（ステップ１３０）。
【００２２】
ハイブリッド無線端末機２０には、０ＣＨ（８００ＭＨｚ）で送信されてきた１ｘＭＣ方式の信号と、１ｘＥＶ−ＤＯ方式の信号と、が入力される。この時、１ｘＥＶ−ＤＯ方式の信号は、１ｘＭＣ方式の信号に比べて強く、又は弱く出力されてもよい。ハイブリッド無線端末機２０は、０ＣＨ（８００ＭＨｚ）を、１ｘＭＣ方式による通信用に初期設定しているため、１ｘＭＣ方式の信号のみが受信される。そして、１ｘＭＣ方式の通信を行うことにより、ハイブリッド無線端末機２０は、ハイブリッド無線端末テスタに搭載された通信装置１０に１ｘＭＣ方式における位置登録がなされる。そして、これにより通信装置１０とハイブリッド無線端末機２０との間において、１ｘＭＣ方式で通信が確立され、ハイブリッド無線端末機２０はＩｄｌｅ状態（待ち受け状態）になる（ステップ１４０）。
【００２３】
次に、この状態で、１ｘＭＣモデム部５ａから、ハイブリッド無線端末機２０に、Ｉｄｌｅ  Ｈａｎｄ  Ｏｆｆ可能なメッセージ（例えば、Service Direction Message）が送られる。この、Ｉｄｌｅ  Ｈａｎｄ  Ｏｆｆ可能なメッセージは、３Ｇｐｐ２（3rd Generation Partnership Project 2）において標準化された制御メッセージであり、１ｘＭＣ方式をサポートする無線端末機のＲＦチャネルの変更をすることができる。このＩｄｌｅ  Ｈａｎｄ  Ｏｆｆ可能なメッセージにより、ハイブリッド無線端末機２０のＲＦチャネルは、０ＣＨ（８００ＭＨｚ）から１００ＣＨ（８４０MHｚ）に変更される（ステップ１５０）。これは、ハイブリッド無線端末機の試験項目の中に、同一の搬送波周波数チャネルにおいて、１ｘＭＣ方式と１ｘＥＶ−ＤＯ方式とを各々用いた場合の、様々な通信環境におけるスループットを含めた無線性能を比較することもあるためである。
【００２４】
ハイブリッド無線端末機２０のＲＦチャネルの変更後、通信装置１０は、ＲＦ無線部９のＲＦチャネルを０ＣＨ（８００ＭＨｚ）から１００ＣＨ（８４０MHｚ）に変更する。これにより、１ｘＭＣモデム部５ａと、１ｘＥＶ−ＤＯモデム部５ｂと、から出力されたＩＦ信号は、１００ＣＨ（８４０MHｚ）の搬送波周波数帯にアップコンバートされ、ハイブリッド無線端末機２０に送信される（ステップ１６０）。ハイブリッド無線端末機２０は、１００ＣＨ（８４０MHｚ）で、送信されてきた１ｘＥＶ−ＤＯ方式の信号を受信し、１ｘＥＶ−ＤＯ方式の位置登録が行われる。そして、これによりハイブリッド無線端末テスタに搭載された通信装置１０とハイブリッド無線端末機２０との間において、１ｘＥＶ−ＤＯ方式で通信が確立され、ハイブリッド無線端末機２０は、両システムのサービスを１００ＣＨ（８４０MHｚ）で、個々に受けることができるようになる（ステップ１７０）。
【００２５】
このような状態で、通信装置１０が搭載されたハイブリッド端末テスタは、１ｘＭＣ方式と１ｘＥＶ−ＤＯ方式を、同一のＲＦチャネルで試験をすることが可能となる（ステップ１８０）。
【００２６】
以上、本実施形態で説明したＣＤＭＡ方式を用いたハイブリッド無線端末機と通信する通信装置、及び、その通信制御方法を用いることにより、２系統の無線部を備えることなく、簡単な構成でハイブリッド無線端末テスタを実現することが可能となる。従って、本実施形態で説明したＣＤＭＡ方式を用いたハイブリッド無線端末機と通信する通信装置、及び、その通信制御方法を用いたハイブリッド無線端末テスタは、スペース的にも経済的にも効率が良い。
【００２７】
また、「ＣＤＭＡ２０００」において、ハイブリッド無線端末機は、１ｘＭＣ方式と１ｘＥＶ−ＤＯ方式のＲＦ通信チャネルが、比較的近い周波数帯（実施形態に一例として示したような、８００ＭＨｚと８４０MHｚ）に設定されていることや、１ｘＭＣ方式と１ｘＥＶ−ＤＯ方式では、オーバーラップするＲＦチャネルもあることから、１系統の無線部であったとしても問題なく動作させることができる。さらに、１ｘＭＣ方式と１ｘＥＶ−ＤＯ方式は、その通信プロトコル上、同時に通信をすることが無いため、１つの無線部であったとしても問題なく１ｘＭＣ方式と１ｘＥＶ−ＤＯ方式の試験を個々に行うことができる。
【００２８】
付け加えて、本実施形態で説明したＣＤＭＡ方式を用いたハイブリッド無線端末機と通信する通信装置、及び、その通信制御方法を用いることにより、ハイブリッド無線端末機の１ｘＭＣ方式と１ｘＥＶ−ＤＯ方式とを、同一のＲＦチャネルで試験をすることができる。このため、１ｘＭＣ方式と１ｘＥＶ−ＤＯ方式とを各々用いた場合の、様々な通信環境におけるスループットを含めた無線性能を容易に比較することが可能となる。
【図面の簡単な説明】
【００２９】
【図１】本発明の実施形態に係るブロック図である。
【図２】本発明の実施形態に係る通信装置１０とハイブリッド無線端末機２０との通信動作を示すフローチャートである。
【符号の説明】
【００３０】
１  ＴＣ／外部コントロール部、３  制御部、５ａ  １ｘＭＣモデム部、５ｂ  １ｘＥＶ−ＤＯモデム部、７  ゲインコントロール部、９  無線部、１０  通信装置、２０  ハイブリッド無線端末機。
【図１】
2005277831.tif 000003
【図２】
2005277831.tif 000004